(57)【要約】【課題】  低コストで効率良く生産可能で、電子レンジ内に平置きして加熱調理する際に、補助具を使用せずに、パウチの内圧上昇により自動開口する自動開口機構の位置を高い位置に定して保持することのできる、平パウチタイプのプラスチックパウチを提供する。【解決手段】  プラスチックパウチを構成する表面フイルム及び裏面フイルムの少なくとも一方のフイルムをパウチの幅方向全長にわたって折返し、周縁部をヒートシールすることによってパウチ本体と連通する折返し部を少なくとも１箇所形成する。【選択図】          図２
2006062672.tif 000002
【特許請求の範囲】
【請求項１】
プラスチックパウチを構成する表面フイルム及び裏面フイルムの少なくとも一方のフイルムをパウチの幅方向全長にわたって折返し、周縁部をヒートシールすることによってパウチ本体と連通する折返し部を少なくとも１箇所形成したことを特徴とするプラスチックパウチ。
【請求項２】
折返し部をパウチを構成する表面フイルム及び裏面フイルムの両方に形成したことを特徴とする請求項１に記載のプラスチックパウチ。
【請求項３】
折返し部をパウチの一方の端部寄りに形成したことを特徴とする請求項１又は２に記載のプラスチックパウチ。
【請求項４】
折返し部をパウチの両方の端部寄りに形成したことを特徴とする請求項１又は２に記載のプラスチックパウチ。
【請求項５】
プラスチックパウチを構成するフイルムをＺ字形に折返すことによって折返し部を形成したことを特徴とする請求項１〜４のいずれかに記載のプラスチックパウチ。
【請求項６】
プラスチックパウチを構成するフイルムをＺ字形に折返した後に、さらに逆Ｚ字状に折返すことによって折返し部を形成したことを特徴とする請求項１〜４のいずれかに記載のプラスチックパウチ。
【請求項７】
折返し部の周縁シール部において、周縁シール部を構成する表面フイルム及び裏面フイルムの最外層に配置されたフイルムよりも内層に存在するフイルムに開孔部を設け、該開孔部を介して表裏両面の最外層に配置されたフイルムをヒートシールしたことを特徴とする請求項１〜６のいずれかに記載のプラスチックパウチ。
【請求項８】
折返し部に近いパウチの端部又はその近傍に、該パウチを電子レンジにより加熱した際に自動的に開口する自動開口機構を形成したことを特徴とする請求項１〜７に記載のプラスチックパウチ。
【請求項９】
自動開口機構をパウチ端部の周縁シール部に接続して形成したことを特徴とする請求項８に記載のプラスチックパウチ。
【請求項１０】
パウチ端部の周縁シール部に先端がパウチ内方に向かう突出部を設けることによって自動開口機構を形成したことを特徴とする請求項９に記載のプラスチックパウチ。
【請求項１１】
自動開口機構をパウチ端部の周縁シール部から分離して形成したことを特徴とする請求項８に記載のプラスチックパウチ。
【請求項１２】
自動開口機構が弱化部を有する蒸気抜きシール部であることを特徴とする請求項８〜１１に記載のプラスチックパウチ。
【発明の詳細な説明】
【技術分野】
【０００１】
本発明は、パウチの表裏両面を構成するプラスチックフイルムの周縁部をヒートシールしてなる平パウチタイプのプラスチックパウチに関する。本発明のプラスチックパウチは、液状物、固形物或いはこれらの混合物からなるレトルト食品等の内容物を充填し、電子レンジ加熱調理用パウチとして好適に用いられる。
【背景技術】
【０００２】
レトルト食品、冷凍食品などを充填密封した包装袋を電子レンジで加熱すると、加熱に伴って内容物から発生する水蒸気等により袋内部の圧力が上昇し、包装袋が破裂して内容物が飛散するとともに、電子レンジ内を汚したり、人体に対してやけ等の危害を与えるおそれがある。
【０００３】
このため、このような包装袋を電子レンジで加熱調理する前に、包装袋を予め部分的に開封しておいたり、包装袋本体に孔を開けることにより包装袋内で発生する水蒸気等を外部に排出し、包装袋の破袋を防止する方法がとられている。
しかしながら、このような方法は一般消費者にとっては手間のかかるものであるとともに、電子レンジ加熱により発生した水蒸気が直ちに包装袋外へ排出されるために、水蒸気による加熱蒸らし効果が低減し、食味が落ちるという欠点がある。
【０００４】
このような問題点を解決するために、電子レンジ加熱時におけるパウチ内の内圧上昇を自動的に逃がすために、パウチの内圧上昇によって自動開口する機構を設けたプラスチックパウチが種々提案されている。
このような自動開口機構を設けたプラスチックパウチとしては、パウチを電子レンジ内で自立させて加熱するスタンディングパウチや（例えば、特許文献１、２参照）、平袋や分岐部に自動開口機構を設けた分岐型パウチのように包装袋を電子レンジ内で寝かせて加熱する平置き型パウチ等（例えば特許文献３〜５参照）、種々のタイプのものが知られている。
【０００５】
これらのパウチの中で、生産性やコストの点で最も優れているものは平パウチタイプのパウチであるが、このタイプのパウチは電子レンジでの調理時、及び内圧上昇によりパウチが自動開口した後に、自動開口機構の位置を高い位置に安定して保持することができないために、パウチの内容物が自動開口部から噴き出したり、漏れ出したりするという欠点があった。
このため、平パウチタイプの電子レンジ加熱調理用パウチの自動開口機構を高い位置に保持するために、個装箱等の補助具を使用することも提案されているが（特許文献６参照）、パウチとは別体の補助具を使用するので面倒であり、またコストアップにつながるという問題があった。
【０００６】
【特許文献１】特開２００２−２４９１７６号公報
【特許文献２】特開２００３−１９２０４２号公報
【特許文献３】特開２００２−８００７２号公報
【特許文献４】特開２００１−１０６２７０号公報
【特許文献５】特公平８−２５５８３号公報
【特許文献６】特開２００３−１７０９３０号公報
【発明の開示】
【発明が解決しようとする課題】
【０００７】
本発明は、上記従来技術の問題点を解消して、低コストで効率良く生産可能で、電子レンジ内に平置きして加熱調理する際に、補助具を使用せずに、パウチの内圧上昇により自動開口する自動開口機構の位置を高い位置に安定して保持することのできる、平パウチタイプのプラスチックパウチを提供することを目的とする。
【課題を解決するための手段】
【０００８】
本発明者等は鋭意検討した結果、プラスチックパウチを構成する少なくとも一方のフイルムをパウチの幅方向全長にわたって折返し、周縁部をヒートシールしてパウチ本体と連通する折返し部を形成することによって上記課題が解決されることを発見し、本発明を完成したものである。
【０００９】
すなわち、本発明では次の１〜１２の構成を採用する。
１．プラスチックパウチを構成する表面フイルム及び裏面フイルムの少なくとも一方のフイルムをパウチの幅方向全長にわたって折返し、周縁部をヒートシールすることによってパウチ本体と連通する折返し部を少なくとも１箇所形成したことを特徴とするプラスチックパウチ。
２．折返し部をパウチを構成する表面フイルム及び裏面フイルムの両方に形成したことを特徴とする１に記載のプラスチックパウチ。
３．折返し部をパウチの一方の端部寄りに形成したことを特徴とする１又は２に記載のプラスチックパウチ。
４．折返し部をパウチの両方の端部寄りに形成したことを特徴とする１又は２に記載のプラスチックパウチ。
５．プラスチックパウチを構成するフイルムをＺ字形に折返すことによって折返し部を形成したことを特徴とする１〜４のいずれかに記載のプラスチックパウチ。
６．プラスチックパウチを構成するフイルムをＺ字形に折返した後に、さらに逆Ｚ字状に折返すことによって折返し部を形成したことを特徴とする１〜４のいずれかに記載のプラスチックパウチ。
７．折返し部の周縁シール部において、周縁シール部を構成する表面フイルム及び裏面フイルムの最外層に配置されたフイルムよりも内層に存在するフイルムに開孔部を設け、該開孔部を介して表裏両面の最外層に配置されたフイルムをヒートシールしたことを特徴とする１〜６のいずれかに記載のプラスチックパウチ。
８．折返し部に近いパウチの端部又はその近傍に、該パウチを電子レンジにより加熱した際に自動的に開口する自動開口機構を形成したことを特徴とする１〜７に記載のプラスチックパウチ。
９．自動開口機構をパウチ端部の周縁シール部に接して形成したことを特徴とする８に記載のプラスチックパウチ。
１０．パウチ端部の周縁シール部に先端がパウチ内方に向かう突出部を設けることによって自動開口機構を形成したことを特徴とする９に記載のプラスチックパウチ。
１１．自動開口機構をパウチ端部の周縁シール部から分離して形成したことを特徴とする８に記載のプラスチックパウチ。
１２．自動開口機構が弱化部を有する蒸気抜きシール部であることを特徴とする８〜１１に記載のプラスチックパウチ。
【発明の効果】
【００１０】
本発明のプラスチックパウチは、スタンディングパウチや分岐型パウチのように追加の部材や工程を必要とせず、平パウチに近い低コストで効率良く生産することができる。また、電子レンジ内に平置きして加熱調理する際に、補助具を使用せずにパウチの内圧上昇により自動開口する自動開口機構の位置を高い位置に安定して保持し、開口部からの内容物の噴き出しや漏れ出しを防止することができる。
【発明を実施するための最良の形態】
【００１１】
本発明のプラスチックパウチを構成するプラスチックフイルムとしては、通常包装袋の製造に用いられるヒートシール性を有するプラスチック材料が使用される。このようなプラスチック材料としては、例えばヒートシール性を有する熱可塑性樹脂からなる単層のフイルム、シート類や、ヒートシール性を有する熱可塑性樹脂を他の熱可塑性樹脂等と積層した多層フイルム等が挙げられる。
【００１２】
このようなヒートシール性を有するプラスチック材料としては、例えば公知の低密度ポリエチレン、線状低密度ポリエチレン、中密度ポリエチレン、高密度ポリエチレン、ポリプロピレン、プロピレン−エチレン共重合体、エチレン−酢酸ビニル共重合体、エチレン系不飽和カルボン酸乃至その無水物でグラフト変性されたオレフィン樹脂等のオレフィン系樹脂、比較的低融点乃至低軟化点のポリアミド乃至コポリアミド樹脂、ポリエステル乃至コポリエステル樹脂、ポリカーボネイト樹脂等が使用される。
【００１３】
また、ヒートシール性を有するプラスチック材料と積層する他のプラスチック材料としては、ヒートシール性を有し又は有さない熱可塑性樹脂からなるフイルムや各種バリアフイルム等を使用することができる。
このような熱可塑性樹脂としては、例えば結晶性ポリプロピレン、結晶性プロピレン−エチレン共重合体、結晶性ポリブテン−１、結晶性ポリ４−メチルペンテン−１、低−、中−、或いは高密度ポリエチレン、エチレン−酢酸ビニル共重合体（ＥＶＡ）、ＥＶＡケン化物、エチレン−アクリル酸エチル共重合体（ＥＥＡ）、イオン架橋オレフィン共重合体（アイオノマー）等のポリオレフィン類；ポリスチレン、スチレン−ブタジエン共重合体等の芳香族ビニル共重合体；ポリ塩化ビニル、塩化ビニリデン樹脂等のハロゲン化ビニル重合体；ポリアクリル系樹脂；アクリロニトリル−スチレン共重合体、アクリロニトリル−スチレン−ブタジエン共重合体の如きニトリル重合体；ポリエチレンテレフタレート、ポリテトラメチレンテレフタレート等のポリエステル類；各種ポリカーボネート；フッ素系樹脂；ポリオキシメチレン等のポリアセタール類等の熱可塑性樹脂を挙げることができる。これらの熱可塑性樹脂は単独で又は二種以上をブレンドして使用することができ、また、各種の添加剤を配合して使用してもよい。
【００１４】
また、各種バリアフイルムとしては、シリカ蒸着ポリエステルフイルム、アルミナ蒸着ポリエステルフイルム、シリカ蒸着ナイロンフイルム、アルミナ蒸着ナイロンフイルム、アルミナ蒸着ポリプロピレンフイルム、炭素膜蒸着ポリエステルフイルム、炭素膜蒸着ナイロンフイルム、さらにアルミナ及びシリカをポリエステルフイルムやナイロンフイルム等のベースフイルムに同時蒸着した２元蒸着フイルム、またナイロン６／メタキシリレンジアミンナイロン６共押出しフイルム、ポリプロピレン／エチレン−ビニルアルコール共重合体共押出しフイルム、またポリビニルアルコールコートポリプロピレンフイルム、ポリビニルアルコールコートポリエステルフイルム、ポリビニルアルコールコートナイロンフイルム、ポリアクリル酸系樹脂コートポリエステルフイルム、ポリアクリル酸系樹脂コートナイロンフイルム、ポリアクリル酸系樹脂コートポリプロピレンフイルム、ポリグリコール酸樹脂コートポリエステルフイルム、ポリグリコール酸樹脂コートナイロンフイルム、ポリグリコール酸樹脂コートポリプロピレンフイルム等の有機樹脂コートフイルム、さらに有機樹脂材料及び無機材料からなるハイブリッドコート材をポリエステルフイルムやナイロンフイルム、ポリプロピレンフイルム等のベースフイルムにコーティングしたもの等を挙げることができる。これらのバリアフイルムは、単独で又は２種以上を組合わせて使用することができる。
【００１５】
さらに、ヒートシール性を有するプラスチック材料と積層する他のプラスチック材料としては、酸素吸収性樹脂からなるフイルム、或いは酸素吸収性樹脂と他の熱可塑性樹脂との積層フイルムを使用することもできる。
酸素吸収性樹脂としては、（１）樹脂自体が酸素吸収性を有する樹脂を使用する、もしくは（２）酸素吸収性を有する又は有しない熱可塑性樹脂中に酸素吸収剤を配合した樹組成物を使用することができる。酸素吸収性樹脂組成物（２）を構成する熱可塑性樹脂としては特に制限はなく、酸素バリヤー性を有する熱可塑性樹脂や、酸素バリヤー性を有さない熱可塑性樹脂のいずれもが使用できる。樹脂組成物（２）を構成する熱可塑性樹脂として、樹脂自体が酸素吸収性又は酸素バリヤー性を有するものを使用した場合は、酸素吸収剤による酸素吸収効果との組合せにより、容器内部への酸素の侵入を効果的に防止することができるので好ましい。
【００１６】
樹脂自体が酸素吸収性を有するものとしては、例えば、樹脂の酸化反応を利用したものが挙げられる。酸化性の有機材料、例えば、ポリブタジエン、ポリイソプレン、ポリプロピレン、エチレン一酸化炭素共重合体、６−ナイロン、１２−ナイロン、メタキシリレンジアミン（ＭＸ）ナイロンのようなポリアミド類に、酸化触媒としてコバルト、ロジウム、銅等の遷移金属を含む有機酸塩類や、ベンゾフェノン、アセトフェノン、クロロケトン類のような光増感剤を加えたものが使用できる。これらの酸素吸収材料を使用した場合は、紫外線、電子線のような高エネルギー線を照射することによって、一層の効果を発現させることも出来る。
【００１７】
熱可塑性樹脂中に配合する酸素吸収剤としては、従来この種の用途に使用されている酸素吸収剤は全て使用できるが、一般には還元性でしかも実質上水に不溶なものが好ましく、その適当な例としては、還元性を有する金属粉、例えば還元性鉄、還元性亜鉛、還元性錫粉；金属低位酸化物、例えばＦｅＯ、Ｆｅ３Ｏ４；還元性金属化合物、例えば炭化鉄、ケイ素鉄、鉄カルボニル、水酸化第一鉄等の一種又は二種以上を組み合わせたものを主成分としたものが挙げられる。特に好ましい酸素吸収剤としては、還元性鉄、例えば鉄鋼の製造工程で得られる酸化鉄をコークスで還元し、生成した海綿鉄を粉砕後、水素ガスや分解アンモニアガス中で仕上還元を行なった還元性鉄や、酸洗工程で得られる塩化鉄水溶液から鉄を電解析出させ、粉砕後仕上還元を行なった還元性鉄等が挙げられる。
これらの酸素吸収剤は必要に応じて、アルカリ金属、アルカリ土類金属の水酸化物、炭酸塩、亜硫酸塩、チオ硫酸塩、第三リン酸塩、第二リン酸塩、有機酸塩、ハロゲン化物等の電解質からなる酸化促進剤や、さらには活性炭、活性アルミナ、活性白土のような助剤とも組み合わせて使用することができる。特に好ましい酸化促進剤としては、塩化ナトリウム、塩化カルシウム或いはこれらを組合わせたもの等が挙げられる。
還元性鉄と酸化促進剤を組合わせて使用する場合には、両者の配合割合は、合計量を１００重量部として、還元性鉄９９〜８０重量部及び酸化促進剤１〜２０重量部、特に還元性鉄９８〜９０重量部及び酸化促進剤２〜１０重量部とすることが好ましい。
【００１８】
他の酸素吸収剤としては、多価フェノールを骨格内に有する高分子化合物、例えば多価フェノール含有フェノール・アルデヒド樹脂等が挙げられる。更に、水溶性物質であるアスコルビン酸、エリソルビン酸、トコフェロール類及びこれらの塩類等も好適に使用することが出来る。これらの酸素吸収性物質の内でも、還元性鉄及びアスコルビン酸系化合物が特に好ましい。
また、上記の樹脂自体が酸素吸収性を有する樹脂を、酸素吸収剤として熱可塑性樹脂中に配合してもよい。
【００１９】
これら酸素吸収剤は、一般に平均粒径が５０μｍ以下、特に３０μｍ以下の粒径を有することが好ましく、透明あるいは半透明性を必要とする場合には、平均粒径１０μｍ以下、特に５μｍ以下の粒径を有することが好ましい。酸素吸収剤は、上記の樹脂に１乃至７０重量％、特に５乃至３０重量％の割合で配合することが好ましい。
【００２０】
本発明では、上記プラスチック材料により構成された未延伸の、或いは一軸又は二軸延伸したフイルムを、常法によりヒートシールすることにより電子レンジ用包装袋を構成する。フイルムがヒートシール性を有する熱可塑性樹脂とヒートシール性を有さない熱可塑性樹脂との積層フイルムである場合には、ヒートシール性を有する熱可塑性樹脂層同士が内面となるようにヒートシールする。
【００２１】
つぎに、図面に基づいて本発明の平パウチタイプのプラスチックパウチの構成について説明するが、以下の具体例は本発明を限定するものではない。
図１〜図３は、本発明のプラスチックパウチの１例を示す図であり、図１はパウチの製造工程を説明する模式図、図２はパウチを裏側から見た平面図である。
また、図３はこのパウチを電子レンジ内で加熱した状態を表す模式図であり、（Ａ）はパウチが未開口で加熱調理中の状態を表し、（Ｂ）はパウチが部分的に開口して調理が完了した状態を表す。
【００２２】
このパウチ１は、パウチの表面を構成するフイルム１１とパウチの裏面を構成するフイルム１２を重ね合わせ、周縁部をヒートシールすることによって製造される。その際に、パウチの裏面を構成するフイルム１２を、パウチの幅方向全長にわたってＺ字形に折返し、内容物の充填口４となる一方の短辺端部を除いて周縁部をヒートシールすることによって、パウチ本体と連通する折返し部２を形成する。また、充填口４とは反対側の短辺端部には、周縁シール部をパウチ内方に向けてＵ字形に突出させ、突出部６内に開孔（貫通孔）部７を設けることによって弱化部を有する蒸気抜きシール部を形成し、パウチを電子レンジで加熱した際に自動的に開口する自動開口機構５としている。
弱化部の形成方法としては、開孔（貫通孔）に代えて半貫通孔、スリットや未シール部を設ける等、他の公知の方法を採用できることは勿論である。
【００２３】
このパウチ１内にレトルト食品等の内容物を充填した後に、充填口４をヒートシールして密封したパウチを電子レンジ内に平置きして加熱調理すると、内容物から発生した水蒸気等によってパウチの内圧が上昇し、パウチが膨張する。その際にパウチ裏面１２に設けられた折返し部２内にも水蒸気が侵入し、折返し部２を起点にして自動開口機構５を設けたパウチ端部が立上がる（図３（Ａ）参照）。
【００２４】
パウチ１の内圧の上昇にともなって、自動開口機構５の突出部６の先端に応力が集中して、シール部が徐々にパウチ外側に向って剥離し、開孔７に剥離が到達するとパウチが部分的に開口し、水蒸気等が開孔７から外部に排出され、パウチの内圧が低下する。この時にも、パウチ裏面１２に設けた折返し部２がスタンドのような役割をはたし、開口した自動開口機構５が高い位置に安定して保持される（図３（Ｂ）参照）。
このように、このパウチ１では、電子レンジによる加熱調理中及び調理終了後も、パウチに形成した自動開口機構５が高い位置に保持され、内容物の噴き出しや漏れ出しを防止することができる。
【００２５】
図４及び図５は、本発明のプラスチックパウチの他の例を示す図であり、図４はパウチの製造工程を説明する模式図であり、図５はパウチを裏側から見た平面図である。
このパウチ２１では、パウチ裏面を構成するフイルム１２をパウチの幅方向全長にわたってＺ字形に折返した後に、さらに逆Ｚ字状に折返すことによって折返し部２を形成する。また、周縁シール部をパウチ内方に向けてＵ字形に突出させ、突出部６内にパウチ外部に通じる開孔７を設けることによって、自動開口機構５を形成している。パウチ２１の他の構成は、図１〜図３のパウチ１と同様である。
【００２６】
このパウチ２１では、折返し部２の両側でフイルムを折返したことによって、パウチ２１を電子レンジで加熱調理する際に、水蒸気の侵入によっておし拡げられる折返し部２の容積が大きくなるので、折返し部２を起点とするパウチ端部の立上がりが容易になり、自動開口機構５をより高い位置に安定して保持することが可能になる。
【００２７】
図６〜図８は、本発明のプラスチックパウチの他の例を示す図であり、図６はパウチの製造工程を説明する模式図、図７はパウチを表側から見た平面図、そして図８はパウチの折返し部を形成する工程を説明する拡大模式図である。
このパウチ３１では、パウチの表面を構成するフイルム１１及び裏面を構成するフイルム１２の両方を同じ位置で、それぞれ逆Ｚ字形及びＺ字形に折返すことによって、折返し部３２、３２をパウチの両面に形成する。
【００２８】
この折返し部３２、３２を形成する際に、図８にみられるように、周縁シール部３、３を構成する表面フイルム１１及び裏面フイルム１２の最外層に配置されるフイルムよりも内層に位置するフイルムに開孔部３３（この例では計４箇所）を設け、該開孔部３３を介して表裏両面の最外層に配置されたフイルム１１、１２をヒートシールするものである。
折返し部３２におけるヒートシールをこのよう構成とすることによって、折返し部３２、３２における周縁シール部３のヒートシール強度を高め、パウチ３１を電子レンジで加熱調理する際の、パウチ端部の立上りを確実なものとすることができる。
なお、折返し部の周縁シール部内層に位置するフイルムに開孔部を設ける上記の構成は、パウチの裏面フイルムにのみ折返し部を形成する図１〜図５のパウチにも適用することができる。
【００２９】
また、このパウチ３１では自動開口機構３５として、周縁シール部３から分離した位置で表裏両面のフイルムをヒートシールし、このヒートシール部３６内に開孔（貫通孔）３７を設けることによって、弱化部３７を有する蒸気抜きシール部３６を形成している。
弱化部３７の形成方法としては、開孔（貫通孔）に代えて半貫通孔、スリットや未シール部を設ける等、他の公知の方法を採用できることは勿論である。
【００３０】
図９〜図１１は、本発明のプラスチックパウチの他の例を示す図であり、図９はパウチの製造工程を説明する模式図、図１０はパウチを裏側から見た平面図、そして図１１はパウチを電子レンジ内で加熱した状態を表す模式図である。
このパウチ４２では、パウチの一端部よりの位置で、パウチ裏面を構成するフイルム１２をパウチの幅方向全長にわたってＺ字形に折返すことによって第１の折返し部４２を形成し、パウチの他端よりの位置でフイルム１２を逆Ｚ字形に折返すことによって第２の折返し部４２を形成している。
また、パウチ４２の両端部では、周縁シール部３から分離した位置で開孔による弱化部４７を有する蒸気抜きシール部４６をそれぞれ設けることによって自動開口機構４５、４５を形成している。
【００３１】
このパウチ４１を電子レンジ内に平置きして加熱すると、内容物から発生した水蒸気等によってパウチ４１の内圧が上昇し、パウチ４１が膨張する。その際に、折返し部４２、４２内にも水蒸気が侵入し、折返し部４２、４２を起点にしてパウチ４１の両側が立上がり、自動開口機構４５、４５がそれぞれ高い位置に保持される（図１１参照）。自動開口機構４５、４５が開口し、パウチ４１の内圧が低下して調理が完了した後にも、パウチ４１は縮小した状態でほぼその形状を維持する。したがって、このパウチ４１はトレーのように使用することができる。
【００３２】
上記の各例では、本発明のプラスチックパウチとしてパウチに自動開口機構を設けた例について説明したが、このような自動開口機構を設けずに、本発明の折返し部を有するプラスチックパウチを構成することも可能である。
本発明で採用する自動開口機構としては特に制限はなく、例えばパウチの周縁シール部をパウチ内方に向けてＵ字形乃至Ｖ字形に突出させ、突出部内にパウチ外部に通じる未シール部を設けたり、この未シール部を打抜いて自動開口機構を構成することもできる。また、蒸気抜きシール部以外にも、パウチとは別体の部材を使用して自動開口機構を構成する等、自動開口機構として公知の手段はいずれも採用することができる。
また、プラスチックパウチの寸法、形状やパウチを構成するフイルムの材質等は、適宜選択できることは言うまでもない。
【図面の簡単な説明】
【００３３】
【図１】本発明のプラスチックパウチの１例を製造する工程を説明する模式図である。
【図２】図１の工程により得られるプラスチックパウチを裏側から見た平面図である。
【図３】図２のパウチを電子レンジ内で加熱した状態を表す模式図である。
【図４】本発明のプラスチックパウチの他の例を製造する工程を説明する模式図である。
【図５】図４の工程により得られるプラスチックパウチを裏側から見た平面図である。
【図６】本発明のプラスチックパウチの他の例を製造する工程を説明する模式図である。
【図７】図６の工程により得られるプラスチックパウチを表側から見た平面図である。
【図８】図７のパウチの折返し部を形成する工程を説明する模式図である。
【図９】本発明のプラスチックパウチの他の例を製造する工程を説明する模式図である。
【図１０】図９の工程により得られるプラスチックパウチを裏側から見た平面図である。
【図１１】図１０のパウチを電子レンジ内で加熱した状態を表す模式図である。
【符号の説明】
【００３４】
１，２１，３１，４１      プラスチックパウチ
２，３２，４２            折返し部
３                        周縁シール部
４                        充填口
５，３５，４５            自動開口機構
６                        突出部
７，３３，３７，４７      開孔
１１                      表面フイルム
１２                      裏面フイルム
３６，４６                蒸気抜きシール部
【図１】
2006062672.tif 000003
【図２】
2006062672.tif 000004
【図３】
2006062672.tif 000005
【図４】
2006062672.tif 000006
【図５】
2006062672.tif 000007
【図６】
2006062672.tif 000008
【図７】
2006062672.tif 000009
【図８】
2006062672.tif 000010
【図９】
2006062672.tif 000011
【図１０】
2006062672.tif 000012
【図１１】
2006062672.tif 000013